(57)【特許請求の範囲】
【請求項１】
取付面から突出する小径の軸部の先端に大径の頭部を有する被取付部材を、前記取付面の略同じ高さ位置に２個設けるとともに、
トレイの背面板には、
前記被取付部材の軸部を挿通可能な小径部に連通して前記被取付部材の頭部を挿通可能な大径部を有する横向きの貫通孔と、
前記被取付部材の軸部を係合可能な下端が開放された縦向きの係合孔とが設けられてなり、
一方側の被取付部材の軸部が貫通孔の小径部に位置した状態で、前記係合孔が他方側の被取付部材の軸部に係合可能である
ことを特徴とするトレイの取付構造。
【請求項２】
前記トレイを透明素材で形成するとともに、該トレイの前記背面板の前方に不透明の目隠し部材を設けた
ことを特徴とする請求項１に記載のトレイの取付構造。
【請求項３】
前記トレイの背面板の前方に、下面側が開放された部材挿入用のスペースを形成し、
該スペース内に、リブで補強された部材を挿入した
ことを特徴とする請求項１に記載のトレイの取付構造。
【発明の詳細な説明】
【技術分野】
【０００１】
本発明は、下方からの突き上げに対しずれにくいトレイの取付構造に関するものである。
【背景技術】
【０００２】
従来、収納棚等を着脱自在に取付面に取り付ける場合、例えば特許文献１に開示されているような取付構造が採用されている。
この取付構造では、取付面から突出させたフックの軸部と係合するガイド溝が収納棚に形成されており、このガイド溝は、下端側に開口部を有し、上端側にフックの軸部が突き当たる突き当たり部を有し、突き当たり部と開口部との間に１つまたは複数の屈曲部を有する形状としてあり、収納棚の取付状態において、下方側からの突き上げ力が作用しても収納棚が跳ね上がらない構造となっている。
【先行技術文献】
【特許文献】
【０００３】
【特許文献１】特開２０１０−１２１６７０号公報
【発明の概要】
【発明が解決しようとする課題】
【０００４】
上記特許文献１に開示されている収納棚の取付構造では、取付状態で収納棚等に不用意に当たった場合であっても、収納棚が落下しないものとなっているが、下方側から斜めに力が加わったような場合には、ずれやすいという問題点があった。
【課題を解決するための手段】
【０００５】
本発明のトレイの取付構造は、
取付面から突出する小径の軸部の先端に大径の頭部を有する被取付部材を、前記取付面の略同じ高さ位置に２個設けるとともに、
トレイの背面板には、
前記被取付部材の軸部を挿通可能な小径部に連通して前記被取付部材の頭部を挿通可能な大径部を有する横向きの貫通孔と、
前記被取付部材の軸部を係合可能な下端が開放された縦向きの係合孔とが設けられてなり、
一方側の被取付部材の軸部が貫通孔の小径部に位置した状態で、前記係合孔が他方側の被取付部材の軸部に係合可能である
ことを要旨とする。
【発明の効果】
【０００６】
本発明のトレイの取付構造では、トレイの背面板に貫通孔と係合孔が形成されており、取付面の略同じ高さ位置に２個設けた被取付部材のうち一方側の被取付部材の頭部を貫通孔の大径部に通し、トレイをスライドさせて、一方側の被取付部材の軸部を貫通孔の小径部に嵌め込み、この状態でトレイを回転させて、トレイの係合孔を他方側の被取付部材の軸部に係合させることで、容易にトレイを取り付けることができるものとなり、しかも取付状態では、下方側からの突き上げに対しトレイの回転および落下が防がれ、ずれにくいものとなる。
【０００７】
また、本発明のトレイの取付構造において、前記トレイを透明素材で形成するとともに、該トレイの前記背面板の前方に不透明の目隠し部材を設けたものとすることもできる。
こうすれば、取付状態において、２個の被取付部材の頭部を前方側に配置された不透明な目隠し部材で隠すことができ、被取付部材が視認されることがなく、取付状態の意匠性が向上するものとなる。
【０００８】
また、本発明のトレイの取付構造において、前記トレイの背面板の前方に、下面側が開放された部材挿入用のスペースを形成し、該スペース内に、リブで補強された部材を挿入したものとすることもできる。
こうすれば、トレイの取付状態において、上方からの荷重がトレイに加わっても、リブで補強された部材により応力が分散されて、トレイが変形することが少なくなる。
【図面の簡単な説明】
【０００９】
【図１】スイッチバーにトレイを取り付けたミラーキャビネットの斜視構成図である。
【図２】ミラーキャビネットのスイッチバーに固設した被取付部材の拡大斜視図である。
【図３】被取付部材に取り付けられたトレイの拡大斜視図である。
【図４】トレイと目隠し部材の分解斜視図である。
【図５】トレイを背面側から見た斜視構成図である。
【図６】目隠し部材を挿着する前のトレイを裏面側から見た裏面斜視構成図である。
【図７】トレイに目隠し部材を挿着した状態のトレイの裏面図である。
【図８】トレイを取り付ける工程の説明斜視図である。
【発明を実施するための形態】
【００１０】
次に、本発明を実施するための形態を実施例を用いて説明する。
図１は、ミラーキャビネットにトレイ６，６を取り付けた状態を示す斜視構成図である。
ミラーキャビネット１には、ミラー２の右側方にスイッチバー３が立設され、このスイッチバー３の取付面３ａの下端にスイッチ４が設けられており、このスイッチ４の上方の取付面３ａに、２個のトレイ６，６が取り付けられている。なお、ミラー２の上面には照明器５が設けられている。
【００１１】
トレイ６，６は、スイッチバー３の取付面３ａに着脱可能に取り付けられたものであり、下方側からの突き上げに対しずれにくい構造で取り付けられている。
なお、このようなトレイ６，６は、ミラーキャビネット１に限らず、洗面化粧台や浴室の壁面や整理ダンスなどの取付面に、ずれることなく着脱可能に取り付けることができるものである。
【００１２】
図２に拡大して示すように、スイッチバー３の取付面３ａには、略同じ高さ位置に横方向に間隔をおいて２個の被取付部材１０，１０が突出状に固設されており、この２個の被取付部材１０，１０に対し、図３に示すようにトレイ６を取り付けることができる。
なお、図４は、トレイ６と目隠し部材９の分解斜視図であり、図５は、トレイの６背面図である。また、図６は、トレイ６を裏側から見た斜視図であり、目隠し部材９を挿着する前の分解斜視図である。図７は、トレイ６に目隠し部材９を挿着した状態のトレイの裏面図である。
【００１３】
このトイレ６を詳細に説明すると、トレイ６は透明な樹脂材で形成されており、前面板６１と、左右の側面板６２，６３と、後面板６４と、後面板６４と側面板６３を繋ぐ傾斜状の収納面板６５がそれぞれ立ち上げ形成されており、底側に底面板６６が一体化されて、この底面板６６と前面板６１と側面板６２，６３と後面板６４と収納面板６５に囲まれて、上面側が開放された収納凹部Ｓ１が形成されている。
この収納凹部Ｓ１内に上方側から小物類を入れて、収納凹部Ｓ１内に小物類等を収納できるように構成されている。
【００１４】
後面板６４から延長片６４ａが面一状に延びており、また、側面板６３から延長片６３ａが面一状に延びており、この延長片６４ａの先端と延長片６３ａの先端は背面板６７で繋がっており、この背面板６７は、収納面板６５の背面側に収納面板６５と平行状に形成されたものであり、収納面板６５と背面板６７間には下方側が開放された挿入スペースＳ２が形成されている。この挿入スペースＳ２は、収納面板６５の上端と背面板６７の上端間を塞ぐ天井板６８によりその上面は塞がれている。
【００１５】
この背面板６７には、図５に示すように、貫通孔７と係合孔８が形成されている。
貫通孔７は、大径部７ａと小径部７ｂが連通して横向きに形成されており、小径部７ｂが延長片６３ａ側に配置されている。
また、貫通孔７の大径部７ａから間隔をおいて、延長片６４ａ側には、下端側が開放された逆Ｕ字状の係合孔８が形成されている。
なお、貫通孔７の大径部７ａは、被取付部材１０の頭部１０ｂが挿通可能な内径であり、小径部７ｂは、被取付部材１０の軸部１０ａが嵌まり込む内径に形成されている。また、係合孔８は、被取付部材１０の軸部１０ａが係合される寸法に形成されている。
【００１６】
即ち、図２に示すように、スイッチバー３の取付面３ａに予め固設された被取付部材１０は、取付面３ａから突出する小径の軸部１０ａと、軸部１０ａの先端の大径の頭部１０ｂで構成されている。
また、目隠し部材９は不透明な樹脂材で形成されたものであり、図４および図６で示すように、前面片９１と、その左右端側に折り曲げ形成された折曲片９２，９３を有し、前面片９１と折曲片９２，９３の上面側には天面片９４が一体状に覆設されて、下面および後面が開放された構造となっている。
また、前面片９１と折曲片９３間に亘り前面片９１と直交状にリブ９５ａが一体形成されている。また、前面片９１の左右方向中央部にも前面片９１と直交状にリブ９５ｂが形成され、前面片９１と折曲片９２間にもリブ９５ｃが形成されており、このリブ９５ａ，９５ｂ，９５ｃにより補強された構造となっている。
【００１７】
この目隠し部材９は、トレイ６の挿入スペースＳ２内に下方側から差し込んで、挿入スペースＳ２内に密着状にこの目隠し部材９を挿着することができるものである。
即ち、挿入スペースＳ２内に下側から目隠し部材９を差し込むと、トレイの収納面板６５の裏側に目隠し部材９の前面片９１が当接し、目隠し部材９の折曲片９２はトレイの延長片６３ａの内側に当接し、目隠し部材９の折曲片９３はトレイの延長片６４ａの内側に当接した状態で差し込まれ、完全に挿着された状態では、目隠し部材９の天面片９４がトレイの天井板６８に当接して、トレイの収納スペースＳ２内に目隠し部材９は密着状に配置される。
このように予めトレイ６の挿入スペースＳ２内に下側から目隠し部材９を差し込んで挿着しておき、この状態でトレイ６を被取付部材１０，１０に取り付けるのである。
【００１８】
取付方法は、図８に示すように、トレイ６の背面板６７を縦向きにして、背面板６７に形成されている貫通孔７の大径部７ａ内に図示右側の被取付部材１０の頭部１０ｂを挿通させる。この状態でトレイ６を上方へスライドさせると、貫通孔７の小径部７ｂ内に図示右側の被取付部材１０の軸部１０ａが嵌まり込むこととなる。
この状態で、図８の矢印で示すように、トレイ６を反時計方向に回転させてゆくと、背面板６７に形成されている係合孔８が図示左側の被取付部材１０の上方に移動してゆき、やがては、係合孔８内に図示左側の被取付部材１０の軸部１０ａが係合した状態、即ち図３の状態となる。
この状態で取り付けが完了し、トレイ６の収納凹部Ｓ１内に小物等を入れて、トレイ６を使用することができるものである。
【００１９】
トレイ６の使用状態では、下向きに掛かる荷重は、図示右側の被取付部材の軸部１０ａと貫通孔７の小径部７ｂ下部との当接部位、および図示左側の被取付部材の軸部１０ａと係合孔８上部との当接部位により受けることとなり、係合孔８内に図示左側の被取付部材１０の軸部１０ａが係合しているため、トレイ６は荷重が加わっても回転することはなく、また、貫通孔７の小径部７ｂ内に図示右側の被取付部材１０の軸部１０ａが嵌まり込んでいるために脱落することもない。特に、取付状態において、トレイ６に手が当たって下からの突き上げ力が作用した場合でも、トレイ６はずれることがなく、脱落することがない。
なお、トレイ６に掛かる上方からの荷重は、特に係合孔８と延長片６４ａ付近に集中することとなるが、この部位には目隠し部材９のリブ９５ａが配置されているため、リブ９５ａにより応力が分散されて良好な強度が確保され、トレイ６の変形は少ない。
【００２０】
また、取付状態では、被取付部材１０の頭部１０ｂの前面に目隠し部材９の前面片９１が配置されるため、この目隠し部材９の前面片９１および天面片９４，折曲片９２，９３により、一対の被取付部材１０，１０は完全に隠されることとなり、トレイ６が透明であっても、この不透明な目隠し部材９により被取付部材１０，１０が隠蔽されて、トレイ６の取付状態の意匠性が向上したものとなる。
【００２１】
なお、透明のトレイ６に補強用のリブを設けると、リブが見えてしまい意匠性が損なわれるが、本例では、目隠し部材９は別体で形成してトレイ６の挿入スペースＳ２内に挿着するものであり、別体の目隠し部材９にリブ９５ａ，９５ｂ，９５ｃを一体形成して用いることで、意匠性を向上させてトレイ６の取付状態の強度を確保することができるものである。このようにリブ９５ａ，９５ｂ，９５ｃにより補強されているため、トレイ６に荷重が加わってもトレイ６は変形することが少ないものとなる。
【００２２】
なお、トレイ６を取り外す際には、図３の状態から、トレイ６を時計方向に回転させて、係合孔８を左側の被取付部材１０から離反させ、図８の状態とし、この状態でトレイ６を下方へスライドさせることで、右側の被取付部材１０の軸部１０ａを貫通孔７の大径部７ａ側へ移動させることができ、この状態で大径部７ａから頭部１０ｂを抜き取り、取付面３ａからトレイ６を取り外すことができ、トレイ６の着脱は極めて容易に行なうことができる。
【符号の説明】
【００２３】
１  ミラーキャビネット
２  ミラー
３  スイッチバー
３ａ  取付面
６  トレイ
７  貫通孔
７ａ  大径部
７ｂ  小径部
８  係合孔
９  目隠し部材
１０  被取付部材
１０ａ  軸部
１０ｂ  頭部
６１  前面板
６２，６３  側面板
６３ａ，６４ａ  延長片
６４  後面板
６５  収納面板
６６  底面板
６７  背面板
９１  前面片
９２，９３  折曲片
９４  天面片
９５ａ，９５ｂ，９５ｃ  リブ
Ｓ１  収納凹部
Ｓ２  挿入スペース
【図１】
0005924663.tif 000002
【図２】
0005924663.tif 000003
【図３】
0005924663.tif 000004
【図４】
0005924663.tif 000005
【図５】
0005924663.tif 000006
【図６】
0005924663.tif 000007
【図７】
0005924663.tif 000008
【図８】
0005924663.tif 000009